(57)【要約】      （修正有）【課題】印刷している情報量を抑えることで紙片を小さくして携帯性の良い印刷情報媒体を提供する。【解決手段】帯状の紙片２は長手方向に表紙部３及び表紙部３に続き連続して設けられる複数の情報表示部４を備え、情報表示部４は情報表示本体部４ａと当該情報表示本体部４ａとインデックス表示部４ｂとで構成される。印刷情報媒体は表紙部３と表紙部３に続いて最初に設けられた情報表示部４との境目で山折り、次に当該情報表示部４における短手方向での中間線５で谷折り、当該情報表示部４のインデックス表示部４ｂと当該インデックス表示部４ｂに隣接する次の情報表示部４の情報表示本体部４ａとの境目での山折り、続いて当該情報表示部４における短手方向での中間線５で谷折を繰り返して形成される。表紙部３又は情報表示本体部４には、情報端末機がカメラで読み取ることで映像、音楽などのコンテンツを入手可能にするマーカーが印刷されている。【選択図】図２
0003221779.tif 000002
【実用新案登録請求の範囲】
【請求項１】
長手方向に表紙部及び該表部に続き連続して設けられる複数の情報表示部を備える帯状の紙片から成り、
各々の前記情報表示部は、情報表示本体部と、当該情報表示本体部が表示している情報のインデックスを表示するインデックス表示部とで構成されて、
前記表紙部と該表紙部に続いて最初に設けられた前記情報表示部との境目で山折り、次に当該前記情報表示部における短手方向での中間線で谷折り、当該情報表示部の前記インデックス表示部と当該インデックス表示部に隣接する次の前記情報表示部の前記情報表示本体部との境目で山折り、続いて当該前記情報表示部における短手方向での中間線で谷折りすることを繰り返すことでつづら折りされる印刷情報媒体であって、
情報端末機がカメラで読み取ることで、当該情報端末機で文字、映像、音声・音楽などのコンテンツを入手可能にするマーカーを前記表紙部又は前記情報表示本体部に印刷されている印刷情報媒体。
【請求項２】
前記帯状の紙片の表と裏の両面にそれぞれ長手方向で同一寸法の前記表紙部及び前記情報表示部を備え、表面と裏面とでは前記表紙部及び前記情報表示部を長手方向で逆に配列した請求項１に記載の印刷情報媒体。
【請求項３】
前記マーカーは、前記表紙部又は前記情報表示本体部に印刷されている情報の本文内容とは関連性を有さない特殊な図形である請求項１又は２に記載の印刷情報媒体。
【請求項４】
前記マーカーは、前記表紙部又は前記情報表示本体部に印刷されている情報の本文内容と関連して表示される画像である請求項１又は２に記載の印刷情報媒体。
【考案の詳細な説明】
【技術分野】
【０００１】
本考案は、長尺な帯状の紙片を山折りと谷折りを交互に繰り返して折り重ねて形成する携帯可能な印刷情報媒体に関する。
【背景技術】
【０００２】
従来、印刷情報媒体としては、印刷された複数枚の紙片を重ねて冊子状にしたものが一般的に用いられている。しかし、冊子状にするには紙片を綴じなければならず、製造コストが高くなる。
【０００３】
そのため、印刷が施された１枚の紙片を折り曲げて重ねることによって作製する印刷情報媒体が知られている（例えば、特許文献１乃至３を参照）。
【０００４】
上記の折り畳み式の印刷情報媒体は、折り畳みの見開き毎に表示する情報のテーマを変えることで、情報を体系的に整理して表示することができることから、低コストなばかりかコンパクトで携帯用にも優れた印刷情報媒体である。また、利用者にとっても、知りたいテーマの見開きを開けば容易に知りたい情報にアクセスすることができるため利便性が高い。
【先行技術文献】
【特許文献】
【０００５】
【特許文献１】登録実用新案第３１６０５７８号公報
【特許文献２】登録実用新案第３１６０５７９号公報
【特許文献３】登録実用新案第３１６１２６９号公報
【考案の概要】
【考案が解決しようとする課題】
【０００６】
しかしながら、こうした折り畳み式の印刷情報媒体は、各見開きのスペースに印刷される情報量はスペースの関係で限られており、テーマによっては一つの見開きのスペースに情報が収まり切れないことがある。そのため紙片を大きくすると、冊子が大型化して携帯性が悪くなるばかりか、利用者が知りたいテーマを探すにも手間が掛かり、この種の印刷情報媒体の利点を損なうことになる。
【０００７】
本考案は、上記課題に鑑みて、印刷している情報量を抑えることで紙片を小さくして携帯性の良い印刷情報媒体を提供することを目的としている。
【課題を解決するための手段】
【０００８】
上記課題を解決するために、本考案に係る印刷情報媒体は、長手方向に表紙部及び該表紙部に続き連続して設けられる複数の情報表示部を備える帯状の紙片から成り、各々の前記情報表示部は、情報表示本体部と、当該情報表示本体部が表示している情報のインデックスを表示するインデックス表示部とで構成されて、前記表紙部と該表紙部に続いて最初に設けられた前記情報表示部との境目で山折り、次に当該前記情報表示部における短手方向での中間線で谷折り、当該情報表示部の前記インデックス表示部と当該インデックス表示部に隣接する次の前記情報表示部の前記情報表示本体部との境目で山折り、続いて当該前記情報表示部における短手方向での中間線で谷折りすることを繰り返すことでつづら折りされる印刷情報媒体であって、情報端末機がカメラで読み取ることで、当該情報端末機で文字、映像、音声・音楽などのコンテンツを入手可能にするマーカーが前記表紙部又は前記情報表示本体部に印刷されている。
【０００９】
ある実施形態は、前記帯状の紙片の表と裏の両面にそれぞれ長手方向で同一寸法の前記表紙部及び前記情報表示部を備え、表面と裏面とでは前記表紙部及び前記情報表示部を長手方向で逆に配列することで、印刷情報媒体は２通りの表示部を設けることができる。
【００１０】
そして、前記マーカーは、前記表紙部又は前記情報表示本体部に印刷されている情報の本文内容とは関連性を有さない特殊な図形又は前記表紙部、或いは前記情報表示本体部に印刷されている情報の本文内容と関連して表示される画像である。特に、後者においては、印刷された本文内容との違和感がない印刷情報媒体となる。
【考案の効果】
【００１１】
本考案による印刷情報媒体によれば、印刷で表示している情報を補完する情報を利用者の情報端末機に配信する場合の媒体となるマーカーを印刷しておくことで、必要な人だけ情報端末機に補完する情報を入手できるようにしている。よって、印刷で表示する情報を抑えることで紙片を小さくすることができ、携帯に便利な印刷情報媒体が提供される。
【図面の簡単な説明】
【００１２】
【図１】本考案に係る印刷情報媒体の説明図を示す。
【図２】図１の印刷情報媒体の紙片の表面と裏面の構成図をそれぞれ示す。
【図３】図１の印刷情報媒体を折り畳んだ状態の側面図を示す。
【図４】図１の印刷情報媒体の使用例の説明図を示す。
【図５】図４の印刷情報媒体においてインデックス表示部の一つを開いた状態の説明図を示す。
【図６】印刷情報媒体に印刷されているマーカーを媒体にした情報配信システムの概略的な説明図を示す。
【考案を実施するための形態】
【００１３】
以下、本考案の実施の形態について、図面を参照しながら詳細に説明する。
【００１４】
図１は、本考案の一実施形態をインデックス付きの印刷情報媒体１の概要を示す全体概略図である。また、図２は、その折畳みを開いた状態を平面から示す模式図、図３は、その折畳んだ状態を側面から示す模式図である。
【００１５】
これらの図に示すように、インデックス付き印刷情報媒体１は、帯状の長尺な紙片２をその長手方向と直交する方向に折り目を形成しながら山折りと谷折りを長手方向に沿って交互に繰り返して折り重ねることで形成される。紙片２は、長手方向に表紙部３及び表紙部３に続いて連続して設けられる複数の情報表示部４を備えており、各々の情報表示部４は、情報表示本体部４ａと、当該情報表示本体部４ａに印刷されて表示している情報のテーマ（インデックス）を表示するインデックス表示部４ｂとで構成している。
【００１６】
そして、紙片２の裏面にも同じ配置で表紙部３と、情報表示本体部４ａ及びインデックス表示部４ｂからなる複数の情報表示部４とを設けて、裏側の表紙部３・各情報表示本体部４ａ・各インデックス表示部４ｂは、表側のこれらと長手方向での寸法を同一にしている。この場合、表面と裏面とでは表紙部３とこれに続く各情報表示部４の配列が長手方向で逆となっている。図２の裏面は、表面を図示の矢印で示すように右端からめくって裏返しにして、紙片２の表面では左端の短辺Ａが裏面では右端となる状態で示されている。
【００１７】
このような紙片２を、表紙部３とこれに続いて最初に設けられた情報表示部４との境目で山折り、次に当該情報表示部４における短手方向での中間線５で谷折り、当該情報表示部４のインデックス表示部４ｂと当該インデックス表示部４ｂに隣接する次の情報表示部４の情報表示本体部４ａとの境目で山折り、続けて当該情報表示部４ａの中間線５で谷折りすることを繰り返し、つづら折りに折り畳むことで、インデックス付き印刷情報媒体１は形成される。本例での印刷情報媒体２は、表裏それぞれに表紙部３及び情報表示部４を設けたことで、第１表示部１０と第２表示部２０の二通りを備える。
【００１８】
図４は、インデックス付き印刷情報媒体１の使用例を示し、インデックス付き印刷情報媒体１は折り畳まれた状態では、表紙部３と各インデックス表示部４ｂとが外から見えて、各情報表示本体部４ａは折り畳まれることで隠れている。表紙部３は、この印刷情報媒体１が提供する情報の大きなテーマが印刷されて、各インデックス表示部４ｂにはサブテーマがインデックスとして印刷されている。図示のインデックス付き印刷情報媒体１は、第１表示部１０に「セーフティドライブ」をテーマとする情報を提供するもので、各インデックス表示部４ｂには、運転中の各場面における安全ドライブに関するサブテーマが印刷されている。
【００１９】
そして、所望のサブテーマが印刷されているインデックス表示部４ｂを指で押さえて、印刷情報媒体１を開くと、図５に示すように、中間線５で谷折りされているこのインデックス表示部４ｂに対応する情報表示本体部４ａが開かれて現れる。図示の例では、印刷情報媒体１を「非常電話とは」のサブテーマが印刷されているインデックス表示部４ｂで開くと現れる見開きの情報表示本体部４ａには、非常電話を説明する記述や写真・イラスト等が印刷されており、利用者はその内容を読み取ることができる。
【００２０】
このように、各インデックス表示部４ｂには、運転中の各場面における安全ドライブに関するサブテーマが印刷されて、各情報表示本体部４ａには対応しているインデックス表示部４ｂに印刷されているサブテーマの内容についての情報が印刷されている。
【００２１】
そして、第２表示部２０にも、図示しないが、「セーフティドライブ」をテーマとして、第１表示部１０に続き安全ドライブに関する他のサブテーマがインデックス表示部４ｂに印刷されて、これに対応する各情報表示本体部４ａには、このサブテーマの内容についての情報が印刷されている。しかし、第２表示部２０には、第１表示部１０とは全く別のテーマでの情報を提供するようにしてもよい。
【００２２】
各情報表示本体部４ａには、このような印刷情報に加えて、スマートフォン等の情報端末機がそのカメラ機能で読み取ることができるマーカー６が印刷されている。情報端末機７は、図６に示すように、マーカー６を認識することで情報表示本体部４ａには印刷されていない新たな情報をクラウドサーバー８から取得することができる。
【００２３】
クラウドサーバー８には、マーカー６にする図形とこのマーカー６に対応して配信する情報のコンテンツ９が予め登録されている。この場合のコンテンツ９は、文字情報はもとより動画、静止画、音声、３ＤＣＧによる静止画や動画であり、例えば、「非常電話とは」のサブテーマに関するコンテンツ９としては、非常電話の掛け方を実際に動画で示すと効果的である。
【００２４】
情報表示本体部４ａを見た利用者は、印刷されている情報以外にもっと詳しく知りたい利用者は、情報端末機７によって情報表示本体部４ａに印刷されているマーカー６を読み取る。そして、マーカー４が通信回線１０を通してクラウドサーバー８に送信されると、クラウドサーバー８は画像認識技術により、当該マーカー６に対応するコンテンツ９を当該情報端末機７に配信することで、利用者は情報端末機７を通して新たな情報を入手できる。
【００２５】
情報端末機７がマーカー２を読み取ることでコンテンツ９を配信するこのような技術は、いわゆるＶＲ（仮想現実：Ｖｉｒｔｕａｌ  Ｒｅａｌｉｔｙ）、ＡＲ（拡張現実：Ａｕｇｍｅｎｔｅｄ  Ｒｅａｌｉｔｙ）、ＭＲ（複合現実：Ｍｉｘｅｄ  Ｒｅａｌｉｔｙ）を応用して実現される。情報端末機７にコンテンツ９を表示する場合、情報端末機７が撮影している印刷情報媒体１の紙面上の情報に重ねてコンテンツ９を表示させてもよいし或いは紙面とは全く別に表示させてもよい。
【００２６】
本例でのマーカー６は図形で構成されているが、絵や写真、イラスト或いはＱＲコード（登録商標）に類似した白黒のマークであってもよい。例えば、図示の情報表示本体部４ａには、非常電話を使用している場面を視覚的に表すイラスト１２が描かれているが、これをマーカーとしてクラウドサーバー８に登録されてもよい。このイラスト１２に対応して配信されるコンテンツ９を非常電話の掛け方に関する情報であれば、利用者はイラスト１２を読み取れば、非常電話のかけ方についての詳しい情報が得られることが直感できてわかりやすい。このときのコンテンツ９としては、例えば、非常電話の掛け方の動画などである。
【００２７】
さらに、このイラスト１２のように、情報表示本体部４ａに印刷されている情報の本文内容に関連して表示するイラストや写真等の画像をマーカーに利用すれば、印刷されている本文内容と関係のない図形のマークを配置するのと比べて違和感なく編集でき、印刷物としての体裁がよくなる。
【００２８】
また、マーカー６は、異なる図形・写真・イラスト等を別の情報表示本体部４ａにも印刷して、このマーカー６と共にこのマーカー６に対応して配信するコンテンツ９をクラウドサーバー８に登録することもできる。すなわち、サブテーマ毎にその情報表示本体部４ａに印刷されている情報を補完する情報を、利用者は情報端末機７を通してクラウドサーバー８から取得することができる。勿論、マーカー６は、表紙部３に印刷されてもよい。
【００２９】
情報端末機７がコンテンツ９を取得可能にするには、所定のアプリケーションプログラムをインストールする必要があるが、このようなアプリケーションプログラムの配信サービスを行うサイトに案内するＱＲコード（登録商標）を印刷情報媒体１に印刷しておくとよい。
【００３０】
以上、本考案の実施形態について説明したが、本考案は上記実施形態に限定されるものではなく、本考案の趣旨に基づき種々の変形が可能であり、これらを本考案の範囲から排除するものではない。
【符号の説明】
【００３１】
１      印刷情報媒体
２      帯状の紙片
３      表紙部
４      情報表示部
４ａ    情報表示本体部
４ｂ    インデックス表示部
５      中間線
６      マーカー
７      情報端末機
１２    イラスト（マーカー）
【図１】
0003221779.tif 000003
【図２】
0003221779.tif 000004
【図３】
0003221779.tif 000005
【図４】
0003221779.tif 000006
【図５】
0003221779.tif 000007
【図６】
0003221779.tif 000008
【手続補正書】
【提出日】平成31年4月12日(2019.4.12)
【手続補正１】
【補正対象書類名】実用新案登録請求の範囲
【補正対象項目名】全文
【補正方法】変更
【補正の内容】
【実用新案登録請求の範囲】
【請求項１】
長手方向に表紙部及び該表紙部に続き連続して設けられる複数の情報表示部を備える帯状の紙片から成り、
各々の前記情報表示部は、情報表示本体部と、当該情報表示本体部が表示している情報のインデックスを表示するインデックス表示部とで構成されて、
前記表紙部と該表紙部に続いて最初に設けられた前記情報表示部との境目で山折り、次に当該前記情報表示部における短手方向での中間線で谷折り、当該情報表示部の前記インデックス表示部と当該インデックス表示部に隣接する次の前記情報表示部の前記情報表示本体部との境目で山折り、続いて当該前記情報表示部における短手方向での中間線で谷折りすることを繰り返すことでつづら折りされる印刷情報媒体であって、
情報端末機がカメラで読み取ることで、当該情報端末機で文字、映像、音声・音楽などのコンテンツを入手可能にするマーカーを前記表紙部又は前記情報表示本体部に印刷されている印刷情報媒体。
【請求項２】
前記帯状の紙片の表と裏の両面にそれぞれ長手方向で同一寸法の前記表紙部及び前記情報表示部を備え、表面と裏面とでは前記表紙部及び前記情報表示部を長手方向で逆に配列した請求項１に記載の印刷情報媒体。
【請求項３】
前記マーカーは、前記表紙部又は前記情報表示本体部に印刷されている情報の本文内容とは関連性を有さない特殊な図形である請求項１又は２に記載の印刷情報媒体。
【請求項４】
前記マーカーは、前記表紙部又は前記情報表示本体部に印刷されている情報の本文内容と関連して表示される画像である請求項１又は２に記載の印刷情報媒体。